(57)【特許請求の範囲】
【請求項１】
魚釣りに用いる釣竿であって、
筒状の元竿と、
前記元竿の竿元側内部に長さ方向に移動自在に配置されたバランサと、
前記バランサを任意の位置に固定する固定手段とを備え、
前記元竿は長さ方向に形成された割溝を有し、
前記バランサは前記割溝に係止されつつ前記元竿外部に露出するフランジを有する、釣竿。
【請求項２】
前記元竿の竿元側端部内に配置されたパイプ材をさらに備え、
前記パイプ材は内周面に長さ方向に間隔を隔てて形成された複数の溝部を有し、
前記バランサは前記溝部に係合可能な係止突起を有し、前記固定手段は前記溝部及び係止突起である、請求項１に記載の釣竿。
【請求項３】
前記割溝は前記元竿の竿元側端面より長さ方向に連続して形成されており、
前記元竿の竿元側端部に脱着自在に装着された尻栓をさらに備えた、請求項１または２に記載の釣竿。
【発明の詳細な説明】
【０００１】
【発明の属する技術分野】
本発明は、魚釣りに用いる釣竿に関する。
【０００２】
【従来の技術】
一般に釣竿は、先細り筒状部材である竿体と、竿体の竿元側周面に設けられリールを脱着自在に装着可能なリールシートと、竿体上に間隔を隔てて配置された釣糸ガイドとを有している。そして、リールからの釣糸を順次釣糸ガイドを通じて穂先側に導いて釣りを行う。
【０００３】
一般に、釣人は一方の手でリールシートに取り付けたリールと共にリールシート付近を把持し、他方の手で釣竿の竿元側端部付近を把持しつつ釣りをおこなう。この際に、リールシート付近を中心として釣竿の長さ方向における穂先側先端と竿元側端部とのバランスが重要になる。即ち、リールシート付近から釣竿の穂先側先端への距離と竿元側端部へとの距離を比較するに、後者の距離が一般に短いため、釣竿の長さ方向におけるバランスを調整する必要が生じるのである。この釣竿の長さ方向のバランスが良好でないとキャスティングやリトリーブ等の釣り操作において違和感を覚える場合がある。
【０００４】
この問題に対して、竿体の竿元側端部に長さ方向に延びる固定軸を設けて、この固定軸にリング状のバランサを挿入して固定して釣竿の長さ方向のバランスを調整する釣竿が知られている。
【０００５】
【発明が解決しようとする課題】
しかし、前述のバランスの調整を図る釣竿ではリング状のバランサの脱着が面倒である。また、バランサが竿体外部に露出しており意匠性にも乏しい。
本発明の課題は、容易に釣竿の長さ方向の重量バランスを調整可能な釣竿を提供することにある。
【０００６】
【課題を解決するための手段】
発明１にかかる釣竿は、釣りに用いる釣竿であって、筒状の元竿と、元竿の竿元側内部に長さ方向に移動自在に配置されたバランサと、バランサを任意の位置に固定する固定手段とを備えている。元竿は長さ方向に形成された割溝を有し、バランサは割溝に係止されつつ元竿外部に露出するフランジを有している。
この釣竿では、リールをリールシートに取り付けた後、釣人は自らの釣り操作感覚にフィットするように、必要に応じて元竿の竿元側端部内に配置されているバランサを長さ方向に移動させる。
【０００７】
具体的には、竿元側方向へ釣竿全体の重心を変位させる場合には元竿の竿元端部内のバランサを竿元側に移動させ、一方、竿元側への重心の変位を抑えて穂先側に重心を移動させる場合にはバランサを穂先側に移動させ、それぞれ任意の個所において固定手段で固定する。このバランサは元竿の竿元側内部に配置されており、元竿内部において長さ方向に移動させることで容易に竿体の長さ方向全体におけるバランスを調整することができる。また、バランサは元竿内のバランサ収納部に収納されるので釣竿の意匠性を損なうものでもない。
【０００８】
バランサは割溝に係止されることで元竿に固定されつつ元竿の長さ方向に移動自在となっており、外部に露出しているフランジを割溝に沿って長さ方向に移動させることで、容易にバランサを長さ方向に移動させることが可能である。
【０００９】
発明２にかかる釣竿は、発明１の釣竿であって、元竿の竿元側端部内に配置されたパイプ材をさらに備えている。そして、パイプ材は内周面に長さ方向に間隔を隔てて形成された複数の溝部を有し、バランサは溝部に係合可能な係止突起を有し、固定手段はこの溝部および係止突起である。この場合には、バランサの長さ方向への移動に伴って係止突起が順次パイプ材の溝部に係合しバランサの長さ方向の移動を規制して、バランサを長さ方向の任意の位置に固定する。
【００１０】
発明３にかかる釣竿は、発明１または２の釣竿であって、割溝は元竿の竿元側端面より長さ方向に連続して形成されており、元竿の竿元側端部に脱着自在に装着された尻栓をさらに備えている。この場合には、バランサは割溝に元竿の竿元側より挿入され、尻栓によって元竿より外れないようになっている。
【００１１】
【発明の実施の形態】
以下、本発明の一実施形態について図面を参照しつつ説明する。
本発明の一実施形態を採用した釣竿は、図１に示すように、元竿１と、元竿１の穂先側に連結される複数の竿体からなる竿体ユニット２とを有している。この元竿１は、竿元側端部に配置されリール（図示せず）を装着可能なリールシート４と、竿元側端部に脱着自在に装着される尻栓５とを有している。また、後述のように、元竿１の竿元側端部内にはバランサ１０が元竿１の長さ方向に移動自在に配置されている（図３参照）。
【００１２】
元竿１，竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸を挿通可能な釣糸ガイド６が所定の間隔を隔てて複数設けられている。そして、リールからの釣糸は順次釣糸ガイド６を通って穂先側に導かれている。また、尻栓５は元竿１の竿元側端面を覆う栓状の部材である。尻栓５は雄ねじ部分を有しており、この雄ねじ部分が後述のパイプ材１２の竿元側端部内周面に脱着自在に螺合する。
【００１３】
図２〜図４に詳しく示すように、元竿１の竿元側端部内には元竿１の内径に合致するパイプ材１２が配置され固定されている。そして、元竿１及びパイプ材１２には竿元側端面より長さ方向に割溝１ａが形成されている。この割溝１ａは、元竿１の竿元側端面よりおよそリールシート４の竿元側付近まで連続して形成されており、元竿１の周方向においてはリールシート４のリール取付側と対抗する側に形成される。また、パイプ材１２の内周面には長さ方向に等間隔で内周面周方向全体にわたって溝部１２ａが複数個所形成されている（図３参照）。
【００１４】
バランサ１０は、例えば、スチール，鉛，タングステンまたはこれらの合金等からなり、パイプ材１２の内径に収納可能な径を有する円筒型部材である。このバランサ１０は割溝１ａに首部が係止されつつ元竿１外部に露出するフランジ１１を有している。このフランジ１１が割溝１ａに係止されていることでバランサ１０は割溝１ａに沿って元竿１の長さ方向に移動自在となっている。また、図５に示すように、バランサ１０はフランジ１１と周方向において左右に９０度変位する位置に一対の係止突起１３が配置されている。この係止突起１３はバランサ１０の所定の位置に形成された窪み部内にコイルバネを介して配置されておりコイルバネによって径外方向に付勢されている。
【００１５】
このように構成された釣竿では、リールをリールシート４に取り付けた後、釣人は自らの釣り操作感覚にフィットするように、必要に応じて元竿１の竿元側端部のパイプ材１２内に配置されているバランサ１０を長さ方向に移動させる。具体的には、竿元側方向へ釣竿全体の重心を変位させる場合にはバランサ１０を竿元側に移動させ、一方、竿元側への重心の変位を抑えて穂先側に重心を移動させる場合にはバランサ１０を穂先側に移動させる。このバランサ１０は元竿１及びパイプ材１２の割溝１ａにフランジ１１が係止されることで元竿に固定されつつ元竿の長さ方向に移動自在となっており、外部に露出しているフランジ１１を割溝１ａに沿って長さ方向に移動させることで、容易にバランサ１０を長さ方向に移動させることが可能である。また、バランサ１０は元竿１内に収納されるので釣竿の意匠性を損なうものでもない。
【００１６】
さらに、バランサ１０の長さ方向への移動に伴って係止突起１３が順次パイプ材１２の溝部１２ａに係合しバランサ１０の長さ方向の移動を規制して、バランサ１０を長さ方向の任意の位置に容易に固定可能である。なお、このバランサ１０は溝部１２ａに元竿１の竿元側より挿入され、尻栓５の脱着によって元竿１より取り外し自在である。
【００１７】
［他の実施形態］
（ａ）重さの異なるバランサ１０を複数用意して、尻栓５を取り外し元竿１の竿元側端部より任意のバランサ１０を脱着して、釣竿のバランスの調整を図ることも可能である。
（ｂ）パイプ材１２を用いることなく、直接元竿１に溝部を設けてもよい。
【００１８】
【発明の効果】
本発明にかかる釣竿によれば、容易に釣竿の長さ方向におけるバランスを良好に調整可能である。
【図面の簡単な説明】
【図１】本発明の一実施形態を採用した釣竿の全体図。
【図２】本発明の一実施形態を採用した元竿１の竿元側の拡大図。
【図３】図２の断面図。
【図４】図２の参考図。
【図５】図２のバランサ１０の拡大断面図。
【符号の説明】
１ 元竿
２ 竿体ユニット
４ リールシート
５ 尻栓
１０ バランサ
１１ フランジ
１２ パイプ材
１３ 係止突起
【図１】
0004587241.tif 000002
【図２】
0004587241.tif 000003
【図３】
0004587241.tif 000004
【図４】
0004587241.tif 000005
【図５】
0004587241.tif 000006